(57)【要約】【課題】ベース部を連結することにより長尺にでき、かつ強度を向上させることができる連結構造を備えた照明装置を提供する。【解決手段】ベース部３、４は、それぞれ取付面に平行に延びる底部３ａ、４ａと幅方向に見て該底部の両側に形成された側部３ｂ、３ｃ、４ｂ、４ｃを有する。ベース部３の側部３ｂと底部３ａの連結側端部に突出部３ｈ、３ｉを形成し、ベース部４の側部４ｃと底部４ａの連結側端部に突出部４ｈ、４ｉを形成する。各ベース部の底部並びに側部に形成した突出部を、それぞれ連結相手側のベース部の底部と側部に重ね合わせて固定することにより、両ベース部が連結される。【選択図】図４
2015165472.tif 000002
【特許請求の範囲】
【請求項１】
取付面に固定されるベース部を複数連結したベース部に発光部を取り付けてなる長尺型の照明装置であって、
前記複数のベース部は、それぞれ取付面に平行に延びる底部と幅方向に見て該底部の両側に形成された側部を有し、
前記複数のベース部の一つを第１のベース部、該第１のベース部に連結されるベース部を第２のベース部として、第１のベース部の一方側の側部と他方側の底部のそれぞれ連結側端部に突出部を形成するとともに、第１のベース部の底部の突出部が形成された側と同じ側にある第２のベース部の側部と反対側の底部のそれぞれ連結側端部に突出部を形成し、
第１と第２のベース部の底部並びに側部に形成した突出部を、それぞれ連結相手側のベース部の底部と側部に重ね合わせて固定することにより、両ベース部を連結することを特徴とする照明装置。
【請求項２】
前記第１と第２のベース部の各側部は、その底部と反対側が底部の外側に折り曲げられて傾斜部が形成され、各傾斜部の連結側端部が直角に折り曲げられ、各直角に折り曲げられた部分が重ね合わされて固定されることを特徴とする請求項１に記載の照明装置。
【請求項３】
前記ベース部がプレス成形され、底部と該底部の両側の側部、並びに底部と側部に形成された突出部が一体に成形されることを特徴とする請求項１又は２に記載の照明装置。
【発明の詳細な説明】
【技術分野】
【０００１】
本発明は、取付面に固定されるベース部に発光部を取り付けてなる長尺型の照明装置に関する。
【背景技術】
【０００２】
長尺の蛍光灯照明器具を天井面に連結して設置することは以前から行われている。その際、反射傘同士を連結する必要があり、例えば、特許文献１には連結金具の一端を突出して支持し、同連結金具の外端を僅かに上方に傾斜して構成し、同傾斜面に対応して他の反射体の端部を当接し支持した連結型蛍光灯照明器具が開示されている。また、特許文献２には、係合溝形成部に設けた係合受け部又は係合部と連結金具の係合部又は係合受け部とを嵌合させて連結する照明器具が開示されている。
【先行技術文献】
【特許文献】
【０００３】
【特許文献１】実公平６−３７５２７号公報
【特許文献２】特開平９−６３３３６号公報
【発明の概要】
【発明が解決しようとする課題】
【０００４】
光源が蛍光灯からＬＥＤになり、天井に取り付ける照明装置として従来の反射傘が発光部とほぼ一体となった形状のベースライトとなった。従来の反射傘に該当するベースライトのベース部はプレス成形により形成される。しかし、例えば、２ｍを超えるような長尺の照明装置を実現しようとする場合、一部品で構成しようとすると、それをプレスする機械は限られたものになるためコストが上がってしまうことになり、また成形したとしても中央部がたわむなど、強度的な不安要素が存在する。
【０００５】
本発明は、このような点に鑑みてなされたもので、コストを抑えつつ、ベース部を連結することにより長尺にでき、かつ強度を向上させることができる連結構造を備えた照明装置を提供することを、その課題とする。
【課題を解決するための手段】
【０００６】
本発明は、
取付面に固定されるベース部を複数連結したベース部に発光部を取り付けてなる長尺型の照明装置であって、
前記複数のベース部は、それぞれ取付面に平行に延びる底部と幅方向に見て該底部の両側に形成された側部を有し、
前記複数のベース部の一つを第１のベース部、該第１のベース部に連結されるベース部を第２のベース部として、第１のベース部の一方側の側部と他方側の底部のそれぞれ連結側端部に突出部を形成するとともに、第１のベース部の底部の突出部が形成された側と同じ側にある第２のベース部の側部と反対側の底部のそれぞれ連結側端部に突出部を形成し、
第１と第２のベース部の底部並びに側部に形成した突出部を、それぞれ連結相手側のベース部の底部と側部に重ね合わせて固定することにより、両ベース部を連結することを特徴とする。
【発明の効果】
【０００７】
本発明では、連結される一方のベース部の底部並びに側部に設けた突出部が、他方のベース部の底部並びに側部に固定され、両ベース部を連結するとき、底部に設けた突出部が連結相手側のベース部の側部に設けた突出部とすれ違うような位置に配置されるので、各突出部をスクラムを組むような形で相手側のベース部の底部ないし側部に固定することができる。また両ベース部は特殊なプレス機を使用することなく通常のプレス機で製造することができ、さらには同一部品で構成されるので別途金型を用意する必要がない。従って、コストを抑えつつベース部の連結強度を向上させることができ、複数のベース部を連結して強度が向上した長尺の照明装置を提供することができる。
【図面の簡単な説明】
【０００８】
【図１】照明装置を発光部側から見た斜視図である。
【図２】照明装置を取付面側から見た斜視図である。
【図３】発光部を取り除いてベース部を発光部側から見た平面図である。
【図４】発光部を取り除いてベース部を発光部側から見た斜視図である。
【図５】発光部を取り除いてベース部を取付面側から見た平面図である。
【図６】発光部を取り除いてベース部を取付面側から見た斜視図である。
【図７】２つのベース部を連結した状態を示す斜視図である。
【発明を実施するための形態】
【０００９】
以下、図面に示す実施例に基づいて本発明を詳細に説明する。
【実施例】
【００１０】
図１には、天井などの取付面に取り付けられる照明装置（ベースライト）１を発光部側から見た全体の構成が、図２は取付面より見た構成がそれぞれ図示されている。照明装置１はＬＥＤなど照明光源、回路基板（いずれも不図示）などを内蔵したプラスチック製の発光部２と、発光部２が取り付けられる金属製のベース部３、４を備えている。
【００１１】
本実施例の照明装置１は、例えば２ｍを超える長尺型の照明装置で、ベース部を一部品で構成しようとすると、それをプレスする機械は限られたものになり、またプレス成形したとしても中央部がたわむなど、強度的な不安要素が存在する。従って、ベース部は、例えば、短尺型の照明装置のベース部の長さＬに相当する長さを有するベース部３、４を連結して構成される。なおベース部３、４は同一の金型でプレス成形される同一の部品であるが、説明の都合上参照番号を分けて記載する。一方、発光部２はベース部ほどの重さもなく、２Ｌの長さの発光部がプラスチックで一体成形されている。
【００１２】
図２で一点鎖線で示したベース部３、４の連結部の詳細な構造が、図３〜図６に図示されている。図３、図４は、発光部２を取り除いてベース部を発光部側から見た平面図、斜視図であり、図５、図６は、同様に発光部２を取り除いてベース部を取付面側から見た平面図、斜視図である。
【００１３】
各図において、ベース部３は、取付面と平行に延びる底部３ａと、幅方向に見て該底部３ａの両側に形成された取付面に対して直行する方向に延びる側部３ｂ、３ｃを有する。各側部３ｂ、３ｃは、底部３ａと反対側が外側に折り曲げられてそれぞれ傾斜部３ｄ、３ｅが形成され、また、傾斜部３ｄ、３ｅの連結側端部は、それぞれ直角に折り曲げられて折曲部３ｆ、３ｇが形成される。
【００１４】
ベース部４も同様な構造を有し、取付面と平行に延びる底部４ａと、幅方向に見て該底部４ａの両側に形成された取付面に対して直行する方向に延びる側部４ｂ、４ｃを有する。各側部４ｂ、４ｃは、底部４ａと反対側が外側に折り曲げられてそれぞれ傾斜部４ｄ、４ｅが形成され、また、傾斜部４ｄ、４ｅの連結側端部は、それぞれ直角に折り曲げられて折曲部４ｆ、４ｇが形成される。
【００１５】
ベース部３とベース部４を長さ方向に連結するために、連結側において、ベース部３の一方側の側部３ｂに、ベース部４の同側の側部４ｂに向けて平行に延びる突出部３ｈが側部３ｂと一体に設けられる。
【００１６】
突出部３ｈは側部３ｂ側において側部３ｂの面より外側に側部３ｂの板厚分僅かに屈曲していて、ベース部３、４を連結するとき、突出部３ｈはベース部４の側部４ｂと傾斜部４ｄ間に形成された空間内へ進入でき、ベース部３の突出部３ｈとベース部４の側部４ｂを重ね合わせることができるようになっている。また、ベース部３の突出部３ｈとベース部４の側部４ｂには、それぞれ連結用の穴５、６、５’、６’が形成され、ベース部３、４の端部をそれぞれ突き合わせてベース部３、４を連結するとき、連結用の穴５、５’と６、６’はそれぞれ位置が整合し、ボルトとナットなどの固定手段を用いてベース部３の突出部３ｈをベース部４の側部４ｂに固定できるようになっている。
【００１７】
また、ベース部４の側部４ｂ側に、ベース部３の底部３ａに向けて平行に延びる突出部４ｉが底部４ａと一体に設けられる。突出部４ｉは連結側において底部４ａの面より底部４ａの板厚分僅かに取付面側に屈曲していて、ベース部３、４を連結するとき、ベース部４の突出部４ｉはベース部３の底部３ａの取付面側をスライドでき、ベース部４の突出部４ｉとベース部３の底部３ａを重ね合わせることができるようになっている。また、ベース部３の底部３ａの側部３ｂ側と、ベース部４の突出部４ｉには、それぞれ連結用の穴７、８、７’、８’が形成され、ベース部３、４の端部をそれぞれ突き合わせてベース部３、４を連結するとき、連結用の穴７、７’と８、８’はそれぞれ位置が整合し、ボルトとナットなどの固定手段を用いてベース部４の突出部４ｉをベース部３の底部３ａに固定できるようになっている。
【００１８】
同様な構造が幅方向に見てベース部３、４の他方の側にも設けられており、ベース部４の他方側の側部４ｃに、ベース部３の同側の側部３ｃに向けて平行に延びる突出部４ｈが側部４ｃと一体に設けられる。
【００１９】
突出部４ｈは側部４ｃ側において側部４ｃの面より外側に側部４ｃの板厚分僅かに屈曲していて、ベース部３、４を連結するとき、突出部４ｈはベース部３の側部３ｃと傾斜部３ｅ間に形成された空間内へ進入でき、ベース部４の突出部４ｈとベース部３の側部３ｃを重ね合わせることができるようになっている。また、ベース部４の突出部４ｈとベース部３の側部３ｃには、それぞれ連結用の穴９’、１０’が形成され（側部３ｃに形成された穴は不可視）、ベース部３、４の端部をそれぞれ突き合わせてベース部３、４を連結するとき、突出部４ｈと側部３ｃに形成された連結用の穴はそれぞれ位置が整合し、ボルトとナットなどの固定手段を用いてベース部４の突出部４ｈをベース部３の側部３ｃに固定できるようになっている。
【００２０】
また、ベース部３の側部３ｃ側に、ベース部４の底部４ａに向けて平行に延びる突出部３ｉが底部３ａと一体に設けられる。突出部３ｉは連結側において底部３ａの面より底部３ａの板厚分僅かに取付面側に屈曲していて、ベース部３、４を連結するとき、ベース部３の突出部３ｉはベース部４の底部４ａの取付面側をスライドでき、ベース部３の突出部３ｉとベース部４の底部４ａを重ね合わせることができるようになっている。また、ベース部４の底部４ａの側部４ｃ側と、ベース部３の突出部３ｉには、それぞれ連結用の穴１１、１２、１１’、１２’が形成され、ベース部３、４の端部をそれぞれ突き合わせてベース部３、４を連結するとき、連結用の穴１１、１１’、１２、１２’はそれぞれ位置が整合し、ボルトとナットなどの固定手段を用いてベース部３の突出部３ｉをベース部４の底部４ａに固定できるようになっている。
【００２１】
更に、連結強度を高めるために、ベース部３の折曲部３ｆ、３ｇには連結用の穴１３〜１６が形成され、ベース部４の折曲部４ｆ、４ｇにも、連結用の穴１３’〜１６’が形成され、ベース部３、４の端部をそれぞれ突き合わせてベース部３、４を連結するとき、それぞれ穴１３〜１６、１３’〜１６’はそれぞれ位置が整合し、ボルトとナットなどの固定手段を用いてベース部３の折曲部３ｆ、３ｇと対応するベース部４の折曲部４ｆ、４とを固定できるようになっている。
【００２２】
また、ベース部３、４の底部３ａ、４ａの連結側端部の中央に半円形の切欠き部３ｊ、４ｊが形成され、ベース部３、４が連結されたとき、これらの半円形の切欠き部３ｊ、４ｊは円形の開口部を形成し、この開口部を介して電源線などを発光部２に導くことができる。
【００２３】
各ベース部３、４は金属製の薄いプレートをプレス成形して形成され、各ベース部３、４の側部並びに底部に設けられた突出部３ｈ、４ｈ、３ｉ、４ｉもそれぞれプレス成形により各側部３ｂ、４ｃ並びに底部３ａ、４ａと一体に成形される。
【００２４】
なお、ベース部３、４には、ベース部３、４を天井などの取付面にねじなどで固定するための穴２０、２１が形成されている。
【００２５】
このような構造のベース部３、４を連結するときは、各ベース部３、４の底部３ａ、４ａ並びに各側部３ｂ、４ｂ、側部３ｃ、４ｃが同面となるように、ベース部３、４の端部が突き合わされる。ベース部３、４の底部３ａ、４ａに形成された突出部３ｉ、４ｉは、ベース部４、３の底部の取付面側をスライドし、そこに重ね合わされる。また、ベース部３、４の側部３ｂ、４ｃに形成された突出部３ｈ、４ｈは、ベース部４、３の側部４ｂ、３ｃの外側に沿ってスライドし、そこに重ね合わされる。なお、ベース部３、４の突出部３ｈ、４ｈの突出長さと、突出部３ｉ、４ｉの突出長さは異なっていてよく、組み立ての際は長いほうが先に当接してガイドの役割を果たすようにしてもよい。ベース部３、４の端部が突き合されると、各突出部に形成された連結用の穴と、各突出部が重ね合わせられる底部ないし側部に形成された連結用の穴は、それぞれ位置が整合するので、図７に示したようにボルトとナットなどの固定手段３０〜３９を用いて、各突出部を相手側のベース部の底部ないし側部に固定し、また各折曲部３ｆ、４ｆ、３ｇ、４ｇ同士を固定してベース部３、４を連結する。  
【００２６】
このように、両ベース部を突き合わせて連結するとき、底部に設けた突出部が連結相手側のベース部の側部に設けた突出部とすれ違うような位置に配置されるので、各突出部がスクラムを組むような形で相手側のベース部の底部ないし側部に固定することができる。また両ベース部は特殊なプレス機を使用することなく通常のプレス機で製造することができ、さらには同一部品で構成されるので別途金型を用意する必要がない。従って、コストを抑えつつベース部の連結強度を向上させることができ、複数のベース部を連結して強度が向上した長尺の照明装置が得られる。
【００２７】
なお、上述した実施例では、２つのベース部を連結してベース部を構成したが、３つ以上のベース部も同様な連結構造を用いることにより連結することができることは勿論である。
【符号の説明】
【００２８】
１  照明装置
２  発光部
３、４  ベース部
３ａ、４ａ  底部
３ｂ、３ｃ、４ｂ、４ｃ  側部
３ｈ、３ｉ、４ｈ、４ｉ  突出部
【図１】
2015165472.tif 000003
【図２】
2015165472.tif 000004
【図３】
2015165472.tif 000005
【図４】
2015165472.tif 000006
【図５】
2015165472.tif 000007
【図６】
2015165472.tif 000008
【図７】
2015165472.tif 000009